(57)【要約】【課題】所望上昇（引き出し）高さでの上カバーの支持が簡単で、着脱可能で後付もできるダクトカバー及びその取付方法を提供する。【解決手段】上下面及び室側壁ｃ１との相対面を開放した平面視形状の下カバー１１と上カバー２１とからフード本体３１を構成し、下カバー１１に対して上カバー２１を内嵌または外嵌させてその上カバー２１を昇降動可能とする構成とし、前記下カバー１１下端をフード２の天板２ａに載せ、上カバー２１を上昇させてその上昇力で上カバー２１を室壁Ｃに設けた係合部４１ａに係脱可能に係合させて、配管施工されている排気ダクト３を収容するようにフード２の天板２ａに載置し、上カバー２１を引き出して係合部４１ａに上昇力で係合させて、排気ダクト３を隠蔽し、必要時に外し、排気ダクト３やその接続部、更にはフード２上の送風機ユニット４等を保守点検可能にする。【選択図】  図５
2004205179.tif 000002
【特許請求の範囲】
【請求項１】
フードの天板上に露出する排気ダクトのカバーであって、下カバーに対して上カバーを内嵌または外嵌させてその上カバーを昇降動可能とする構成とし、その上カバーを上昇させてその上昇力で上カバーを室壁に設けた係合部に係合させていることを特徴とするダクトカバー。
【請求項２】
フードの天板上に露出する排気ダクトのカバーであって、上下面及び室側壁に相対する面を開放する平面視形状の下カバーと上カバーとからフード本体を構成し、下カバーに対して上カバーを内嵌または外嵌させてその上カバーを昇降動可能とする構成とし、前記下カバー下端をフードの天板に載せ、上カバーを上昇させてその上昇力で上カバーを室壁に設けた係合部に係脱可能に係合させていることを特徴とするダクトカバー。
【請求項３】
前記フードの天板が下カバーの移動防止手段を有していることを特徴とする請求項２記載のダクトカバー。
【請求項４】
前記移動防止手段がフードの天板に形成した落とし込み凹部であり、該落とし込み凹部に下カバーの下端が載置されることを特徴とする請求項３記載のダクトカバー。
【請求項５】
前記上カバーが上縁に内向きフランジを有する形態とし、前記係合部が上カバーの上昇力で同上カバーの対向する内向きフランジをガイドして同上カバーをその弾性を利用して拡開変形させる傾斜面付きのガイド面を１対有し、ガイド面による案内後にその内向きフランジがガイド面各々の上縁に係合することを特徴とする請求項２〜４いずれか１項記載のダクトカバー。
【請求項６】
前記ガイド面がその一縁に取付部を有すると共に、同取付部を室天井または室側壁に取付けた際、前記傾斜面が下縁側に位置するようにその傾斜面を前記取付部を設けた縁を除く他２縁部分に形成していることを特徴とする請求項５記載のダクトカバー。
【請求項７】
前記取付部が一対のガイド面を連絡する連結部で構成されていることを特徴とする請求項６記載のダクトカバー。
【請求項８】
前記請求項５〜７いずれか１項記載のダクトカバーの取付方法であって、フードの天板に形成されている落とし込み凹部にフード設置後に前記下カバーの下端を移動不能に載置し、上カバーを上昇させて室天井または室側壁に取付けられた前記１対のガイド面で対向する各々の内向きフランジを案内させつつ同上カバーを弾性的に拡開変形させてガイド面案内後に同ガイド面の上縁に対向する内向きフランジ各々を係合させることを特徴とするダクトカバーの取付方法。
【発明の詳細な説明】
【０００１】
【発明の属する技術分野】
本発明は、レンジフードファンの排気ダクトを室内から視認不能に隠すダクトカバー及びその取付方法に関するものである。
【０００２】
【従来の技術】
従来、レンジフードファンのダクトカバーには、フードの天板に固定される下部カバーと、その下部カバーに外嵌されて昇降動し室天井に固定する上部カバーとで構成したものがある（例えば、特許文献１参照。）。
【０００３】
【特許文献１】
実公平７−１８９１２号公報（第１頁、第１図〜第３図）
【０００４】
【発明が解決しようとする課題】
しかしながら、前記先行技術は、上部カバーが室天井に固定され、またその具体的構成が不明である。
しかも、下部カバーがフードの天板、上部カバーが室天井に各々固定されるため、取り外しができない。そのため、排気ダクトやその接続部、下部カバー内に収容されるフード天板上の送風機ユニット等を保守点検できない。
また、下部カバー、上部カバーが共に筒状を呈しているため、フードの設置及び排気ダクトの配管施工工事と併行して両カバーを組付ける必要が生じ、後付けできない。そのため、ダクトカバーの組付作業も面倒であった。
【０００５】
本発明は上記従来事情に鑑みてなされたもので、その目的とする処は、所望上昇（引き出し）高さでの上カバーの支持が簡単なダクトカバーを提供することにある。
更に他の目的とする処は、着脱可能で後付もできるダクトカバー及びその取付方法を提供することにある。
【０００６】
【課題を解決するための手段】
上記目的を解決するために講じた技術的手段は、フードの天板上に露出する排気ダクトのカバーであって、下カバーに対して上カバーを内嵌または外嵌させてその上カバーを昇降動可能とする構成とし、その上カバーを上昇させてその上昇力で上カバーを室壁に設けた係合部に係合させていることを特徴とするダクトカバーである（請求項１）。
ここで、前記する下カバー、上カバーは、共に筒状を呈し、上カバーが下カバーに対して内嵌または外嵌させて上カバーを昇降動可能とする構成を包含するものである。
また、上昇力で上カバーが係合する係合部の構成としては、上カバーの上昇力で同上カバーの対向する側面が弾性的に若干拡開変形させ、その復元力を利用して係合させて自然落下しない構成。上カバーの対向する側面内面の上端側に小突起を突設し、この小突起が上昇力で係合して上カバーが自然落下しない構成。等がその一例として挙げられる。
【０００７】
上記手段では、上カバーを上昇させて係合部に係合させることで、所望上昇（引き出し）高さで上カバーを支持する。
【０００８】
また、フードの天板上に露出する排気ダクトのカバーであって、上下面及び室側壁に相対する面を開放した平面視形状の下カバーと上カバーとからフード本体を構成し、下カバーに対して上カバーを内嵌または外嵌させてその上カバーを昇降動可能とする構成とし、前記下カバー下端をフードの天板に載せ、上カバーを上昇させてその上昇力で上カバーを室壁に設けた係合部に係脱可能に係合させる構成でも良いものである（請求項２）。
ここで、前記下カバー、上カバーの前記平面視形状とは、コの字状、略コの字状、更には対向する1対の側面間の連絡面を湾曲面等、平面ではない面で連絡した平面視形状を包含するものである。
【０００９】
上記手段では、配管施工されている排気ダクトを収容するようにフードの天板に載置し、上カバーを引き出して係合部に上昇力で係合させて、排気ダクトを隠蔽する。
そして、必要時に外し、排気ダクトやその接続部、更にはフード上の送風機ユニット等を保守点検する。
【００１０】
そして、前記フードの天板が下カバーの移動防止手段を有し、該手段がフードの天板に形成した落とし込み凹部であると更に有効なものである（請求項３、４）。
【００１１】
上記手段では、下カバーの下端が移動しないため、安定し、着脱手段部分に余分な負荷を掛けないし、落とし込み凹部であると、下カバーの下端がスッポリ納まり、簡単構造で安定させる。
【００１２】
また、前記上カバーが上縁に内向きフランジを有する形態とし、前記係合部が上カバーの上昇力で同上カバーの対向する内向きフランジをガイドして同上カバーをその弾性を利用して拡開変形させる傾斜面付きのガイド面を１対有し、ガイド面による案内後にその内向きフランジがガイド面各々の上縁に係合するようにしても良いものである（請求項５）。
【００１３】
上記手段では、上カバーの上昇力を受けて内向きフランジがガイド面の傾斜面の案内作用で同上カバーを弾性的に拡開変形させつつガイド面に沿って上昇し、ガイド面通過後に障害が無くなるため、上カバーは復元してガイド面各々上縁に対向する内向きフランジ各々が乗っかかるように係合する。
そして、ダクトカバーそのものを手前に引き抜けば、抜き取ることができる。
【００１４】
更に、前記ガイド面がその一縁に取付部を有すると共に、同取付部を室天井または室側壁に取付けた際、前記傾斜面が下縁側に位置するようにその傾斜面を前記取付部を設けた縁を除く他２縁部分に形成されていると好適なものである（請求項６）。
【００１５】
上記手段では、室天井、室側壁のどちらに係合部を取付けても、上カバーの対向する内向きフランジを案内する傾斜面をガイド面の下縁側に位置させて上昇時にその傾斜面で案内して上カバーを拡開状に弾性変形させ、ガイド面を通過した時点で復元して内向きフランジをガイド面各々の上縁に引っ掛かるように係合することができる。
【００１６】
そして、前記取付部が一対のガイド面を連絡する連結部で構成されていると最適なものである（請求項７）。
【００１７】
上記手段では、左右１対の係合部を連結部による連結で１部材として取り扱う。
【００１８】
また、方法は、請求項５〜７いずれか１項記載のダクトカバーの取付方法であって、フードの天板に形成されている落とし込み凹部にフード設置後に前記下カバーの下端を移動不能に収容し、上カバーを上昇させて室天井または室側壁に取付けられた前記１対のガイド面で対向する各々の内向きフランジを案内させつつ同上カバーを弾性的に拡開変形させてガイド面案内後に同ガイド面の上縁に対向する内向きフランジ各々を係合させることである（請求項８）。
【００１９】
上記手段では、下カバーを、設置後のフード天板の落とし込み凹部に移動不能に落とし込み状に載置し、上カバーを上昇させて室天井または室側壁に取り付けられた１対のガイド面でその内向きフランジを案内させて、ガイド面を通過した時点で復元して内向きフランジをガイド面の上縁に引っ掛かるように係合させて、ダクトカバーのセットは完了する。
そして、必要時にはカバーそのものを手前に引き抜けば、抜き取ることができる。
【００２０】
【発明の実施の形態】
次に、本発明の実施の形態を説明する。
図１〜図１１は本発明ダクトカバー及びその取付方法の第１の実施の形態を示している。符号１はダクトカバー、２はフード、３は排気ダクト、４は送風機ユニットである。
【００２１】
ダクトカバー１は、下カバー１１とその下カバー１１に内嵌されて昇降動可能とする上カバー２１とからなるカバー本体３１と、止め金具４１とを備えている。
【００２２】
下カバー１１は、図４、図５等に示すように、上下面及び室側壁ｃ１と相対する面を開放した平面視コの字状を呈し、その開放下縁に内向きフランジ１１ａ、１１ａを折曲形成すると共に、開放側縁にコの字状の折込フランジ１１ｂ、１１ｂを内向きに折曲形成してなり、この内向きフランジ１１ａ、１１ａを含む下端部分がフード２の天板２ａに形成した落とし込み凹部２２に落とし込み状に載置されるようになっている。
【００２３】
上カバーは２１、同図４等に示すように、下カバー１１と同様に上下面及び室側壁ｃ１に相対する面を開放した平面視コの字状を呈し、その対向する両側面２１ｂ、２１ｂの開放上縁に内向きフランジ２１ａ、２１ａを折曲形成すると共に、同両側面２１ｂ、２１ｂの開放側縁にも内向きフランジ２１ｃ、２１ｃを折曲形成し、その開放側縁の内向きフランジ２１ｃ、２１ｃが前記折込フランジ１１ｂ、１１ｂに挿入されて下カバー１１に対して昇降動可能に案内されるようになっており、その開放側縁の上端部と開放上縁の開放側縁側の端部の所定範囲には内向きフランジ２１ａ、２１ａ、２１ｃ、２１ｃを設けず、開放上縁、開放側縁をそのまま露出させた無フランジ部になっている。
【００２４】
止め金具４１は、左右１対の係合部４１ａ、４１ａを連結部４１ｂで連結した構成になっている。
その１対の係合部４１ａ、４１ａは、前記上カバー２１における対向する内向きフランジ２１ａ、２１ａ間隔よりも若干広い間隔をもって垂直状に室壁Ｃ（室側壁ｃ１または室天井ｃ２）に取付られる１対のガイド面である（図３、図４、図５等参照）。
そして、この止め金具４１は、同図３〜図５等に示すように両ガイド面４１ａ、４１ａ間に亘って両ガイド面４１ａ、４１ａの一縁に取付部として前記連結部４１ｂを架設状に設けて同一体に形成され、各々のガイド面４１ａ、４１ａに傾斜面４１ｃを形成している。
【００２５】
前記傾斜面４１ｃは、図１、図６に示すように、前記連結部４１ｂを室壁である室側壁ｃ１に取付た際、前縁、下縁に相当する縁部分に、また図２、図９に示すように、同連結部４１ｂを室壁である室天井ｃ２に取付た際、下縁、後縁に相当する縁部分に各々配置されるように側面視Ｌ字状の形態をもって形成されている。
また、この傾斜面４１ｃ各々は、下側に向かう内向き傾斜状にして、上カバー２１を上昇させた際、同上カバー２１の対向する内向きフランジ２１ａ、２１ａを、上カバー２１の上昇力を受けて同上カバー２１を弾性的に外側に拡開変形させつつ上方に案内させる機能を有するものである（図７（ｂ）、図１０（ｂ）参照）。
【００２６】
連結部４１ｂは、図３に示すように、連結部４１ｂを室天井ｃ２に取り付けた際、両長縁に補強フランジ４１ｂ−１を折曲形成した扁平コの字状を呈し、ガイド面４１ａとの連設部分である折り曲げ部の前半部に一段低い切欠き４１ｂ−２を切欠形成している(図２、図３)。
【００２７】
前記止め金具４１は、室側壁ｃ１に取り付けられる場合には、図６に示すように下カバー１１における開放上縁の前記無フランジ部に対応する上下の位置関係になるように室天井ｃ２とのコーナー部分に連結部４１ｂをネジ１００止めされる。
また、その止め金具４１が、室天井ｃ２に取り付けられる場合には、図９に示すように下カバー１１における開放上縁の前記無フランジ部にガイド面４１ａの後半部が対応する上下の位置関係になるように室側壁ｃ１とのコーナー部分に同様にネジ(図示せず)止めされる。
【００２８】
フード２は、図１、図２に示すように、下方を開放した扁平箱状を呈してなり、一段低い凹窪部１２底に係脱可能に係合したグリスフィルター３２のその下方に４縁との間に吸引空間５２を確保する整流板４２を配設し、その整流板４２の後方に遠隔操作用の受光ボックス６２を設けた構成になっている。
【００２９】
また、そのフード２はその天板２ａの所定範囲に開口５を開設し、その開口５に連絡口１４を連通させて同天板２ａ上に送風機ユニット４を設置して、前記グリスフィルター３２で油脂分等が吸着除去された廃ガスを送風機ユニット４に接続される排気ダクト３から室外に排気するようになっている。
【００３０】
前記送風機ユニット４は、前記連絡口１４を下面に開口し、上面に排気ダクト３の接続筒３４を突設したユニットボックス２４内にケーシング４４と共にシロッコファン５４を内蔵し、前面を開放可能な蓋体（図示せず）で閉蓋している。
【００３１】
前記フード２の天板２ａには、図１、図２、図４に示すように、送風機ユニット４よりも一回り大きな範囲に平面視逆向きコの字状をもって移動防止手段として前記落とし込み凹部２２を凹設してある。
【００３２】
以上のように構成されているダクトカバーの取付方法は、フード２を設置し、排気ダクト３の配管工事後に、フード２の天板２ａに形成されている落とし込み凹部２２にカバー本体３１の下カバー１１の下端を落とし込んで移動不能に載置し（図４、図５）、上カバー２１を引き上げて、室側壁ｃ１に取付けられている止め金具４１の1対のガイド面４１ａ、４１ａの下縁に形成されている傾斜面４１ｃ、４１ｃで対向する内向きフランジ２１ａ、２１ａの後端部分を案内させつつ同上カバー２１を弾性的に拡開変形させて上昇させ、ガイド面４１ａ、４１ａを通過した時点で上カバー２１が復元して内向きフランジ２１ａ、２１ａをガイド面４１ａ、４１ａ各々の上縁に引っ掛かるように係合させる（図６、図７（ａ）（ｂ）（ｃ）、図８）。
これによって上カバー２１は下カバー１１に対するオーバーラップ量を可変して、室天井ｃ２まで上昇した高さ位置で排気ダクト３及び送風機ユニット４を室内から隠蔽した状態で支持される。
室天井ｃ２に前記止め金具４１が取付けられている場合には、同様に上カバー２１を引き上げて、1対のガイド面４１ａ、４１ａの下縁に形成されている傾斜面４１ｃ、４１ｃで対向する内向きフランジ２１ａ、２１ａの後端部分を案内させつつ同上カバー２１を弾性的に拡開変形させて同上カバー２１を上昇させ、その内向きにフランジ２１ａ、２１ａの後端部分をガイド面４１ａ、４１ａの前記切欠き４１ｂ−２によって一段低くなった上縁部分に引っ掛かるように係合させる（図９、図１０（ａ）（ｂ）（ｃ）、図１１）。
【００３３】
この係合状態の止め金具４１は、室内から視認不能に覆われ、内装的美観を損なうことはない。
そして、必要時にダクトカバー１を取り外す時には、手前に引き出しながら落とし込み凹部２２から抜き取れば良いものである。
また、係合状態をより強くするために、ガイド面４１ａ、４１ａと上カバー２１の側面２１ｂ、２１ｂとをネジ１００止めするのも良いものである（図７（ｃ）、図１０（ｃ））。
尚、室側壁ｃ１の中途高さに止め金具４１を取付けて、少なくとも室側壁ｃ１から室外に向けて配管される排気ダクト３を覆うものであっても良いものである。
【００３４】
本発明はフードの天板上に送風機ボックスが設置されているレンジフードファンに限定されるものではなく、フード内の送風機が内蔵されるタイプのレンジフードファンのそのダクトカバーにも等しく有用であるし、その排気ダクトも室天井配管タイプでも等しく使用できるものである。
【００３５】
【発明の効果】
本発明は以上のように、下カバーに対して上カバーを内嵌または外嵌させてその上カバーを昇降動可能とする構成とし、その上カバーを上昇させてその上昇力で上カバーを室壁に設けた係合部に係合させる構成を採用したから、上カバーを上昇させるその上昇力を利用して係合させて所望上昇（引き出し）高さで上カバーを支持することができる。
【００３６】
また、上下面及び室側壁に相対する面を開放した平面視形状の下カバーと上カバーとからフード本体を構成し、下カバーに対して上カバーを内嵌または外嵌させてその上カバーを昇降動可能とする構成とし、前記下カバー下端をフードの天板に載せ、上カバーを上昇させてその上昇力で上カバーを室壁に設けた係合部に係脱可能に係合させる構成していると取り外し可能で且つ後付けできるので、排気ダクトやその接続部、カバー内に収容されるフード天板上の送風機ユニット等を保守点検することができる。
その上、配管後の排気ダクトを隠すように後付けできるため、フードの設置及び排気ダクトの配管施工工事と併行して組付ける必要性を無くし、ダクトカバーの組付作業が非常に簡単である。
【００３７】
そして、前記フードの天板が下カバーの移動防止手段を有していると、下カバーが安定するので、係合部に負担を掛けず耐久性が向上し、しかもその移動防止手段が下カバー下端の落とし込み凹部の場合には、構造簡単でダクトカバーを安定させることができる。
【００３８】
また、前記上カバーが上縁に内向きフランジを有する形態とし、前記係合部が上カバーの上昇力で同上カバーの対向する内向きフランジをガイドして同上カバーをその弾性を利用して拡開変形させる傾斜面付きのガイド面を１対有し、ガイド面による案内後にその内向きフランジがガイド面各々の上縁に係合するようにしていると、上カバーを弾性変形させたままでの係合ではなく、内向きフランジがガイド面の上縁に係止するものであるため、弾性変形のままでの長期的な係合によって上カバーがラッパ状に塑性変形するような不具合を解消することができる。
【００３９】
しかも、ガイド面がその一縁に取付部を有すると共に、同取付部を室天井または室側壁に取付けた際、前記傾斜面が下縁側に位置するようにその傾斜面を前記取付部を設けた縁を除く他２縁部分に形成されている構成にすると、室天井、室側壁のどちらに係合部を取付けても、上カバーの対向する内向きフランジを傾斜面で案内して、ガイド面各々の上縁にその内向きフランジに引っ掛かるように係合することができる。そのため、例えば係合部の取付対象となる室天井、室側壁の一方に強度不足があったり、一方が取付に不向きな材料で成形されている場合等の諸事情でのニーズにも対応することができる。
【００４０】
そして、前記取付部が一対のガイド面を連結部で連結して一対の係合部を１部材として取り扱えるので、室壁に取り付ける際にも簡単であるし、在庫管理も楽である。
【００４１】
また、方法にあっては、下カバーを、設置後のフード天板に形成されている落とし込み凹部に移動不能に落とし込み状に載置し、上カバーを上昇させて室天井または室側壁に取り付けられた係合部の一対のガイド面でその内向きフランジを案内させて、内向きフランジをガイド面の上縁に引っ掛かるように係合させるので、組付けが非常に簡単で、必要時にはカバーそのものを手前に引き抜けば良く、取り外しも頗る簡単である。
【図面の簡単な説明】
【図１】側面断面図で、室側壁に取付けた止め金具を使用してダクトカバーを取り付けた状態を示す。
【図２】同側面断面図で、室天井に取付けた止め金具を使用してダクトカバーを取り付けた状態を示す。
【図３】止め金具の拡大斜視図。
【図４】カバー本体とフード、排気ダクトの関係を示す分解斜視図。
【図５】上カバーを上昇させる前の状態を示す斜視図。
【図６】室側壁に取り付けた止め金具の係合部（ガイド面）と、上カバーとの位置関係を示す拡大斜視図で要部を示す。
【図７】ダクトカバーの取付状態を示す要部を示す正面拡大断面図。（ａ）は、上カバーの内向きフランジを係合部（ガイド面）の傾斜面で案内する前の状態を示す。（ｂ）は、その傾斜面で上カバーを弾性的に拡開変形させて内向きフランジを上昇させている状態を示す。（ｃ）は、上カバーが復元し、内向きフランジが係合部（ガイド面）の上縁に引っ掛かかる状態を示す。
【図８】上カバーがその止め金具に引っ掛かっている状態を示す要部の拡大斜視図。
【図９】室天井に取付けた止め金具の係合部（ガイド面）と、上カバーとの位置関係を示す拡大斜視図で要部を示す。
【図１０】ダクトカバーの取付状態を示す要部を示す正面拡大断面図。（ａ）は、上カバーの内向きフランジを係合部（ガイド面）の傾斜面で案内する前の状態を示す。（ｂ）は、その傾斜面で上カバーを弾性的に拡開変形させて内向きフランジを上昇させている状態を示す。（ｃ）は、上カバーが復元し、内向きフランジが係合部（ガイド面）の上縁に引っ掛かかる状態を示す。
【図１１】上カバーがその止め金具に引っ掛かっている状態を示す要部の拡大斜視図。
【符号の説明】
１：ダクトカバー                ２：フード
２ａ：天板                      ３１：カバー本体
Ｃ：室壁                        ｃ２：室天井
ｃ１：室側壁                    ４１ａ：係合部
１１：下カバー                  ４１ｃ：傾斜面
２１：上カバー                  ２２：移動防止手段（落とし込み凹部）
２１ｃ：内向きフランジ          ４１：止め金具
４１ｂ：連結部
【図１】
2004205179.tif 000003
【図２】
2004205179.tif 000004
【図３】
2004205179.tif 000005
【図４】
2004205179.tif 000006
【図５】
2004205179.tif 000007
【図６】
2004205179.tif 000008
【図７】
2004205179.tif 000009
【図８】
2004205179.tif 000010
【図９】
2004205179.tif 000011
【図１０】
2004205179.tif 000012
【図１１】
2004205179.tif 000013